(57)【要約】【課題】デバイスに流れる電流量を抑制するようにした場合、発光輝度が低下し、良好な表示を提供できなく、また温度センサの検出出力だけを用いて発光輝度の制御を行うと、デバイス個々の発光輝度-印加電圧特性の温度に起因する変化の違いに対応できない。【解決手段】高輝度表示画素および低輝度表示画素の各々について相対輝度変化分を相対輝度劣化検出部３０８で検出するとともに、発光素子１３の輝度情報から温度推定部３０９によって発光素子１３の各々の温度上昇分ΔＴを推定し、この推定した温度上昇分ΔＴを高輝度表示画素および低輝度表示画素の各々についての相対輝度変化分ΔＬａ，ΔＬｂにデータ規格化処理部３１２で規格化（換算）することによって温度補正を行い、この温度補正によって得られた相対輝度変化分ΔＬａ，ΔＬｂの除算結果ΔＬａ／ΔＬｂを用いて温度差に起因して発生する輝度ムラが一定になるように輝度補正を行う。【選択図】図４
2007286457.tif 000002
【特許請求の範囲】
【請求項１】
一対の基板間に形成された発光素子を含む画素が複数配置されてなる表示部と、
前記一対の基板のうちの一方の基板に前記発光素子の各々に対応して配置され、当該発光素子の漏れ光を検出して光電変換する受光素子群と、
前記受光素子群の各受光素子の検出信号から画素個々の温度上昇分を推定する温度推定部と、
前記発光素子への入力信号と前記受光素子群の各受光素子の検出信号と前記温度推定部が推定した温度上昇分とを用いて前記発光素子の発光輝度を制御する制御部と
を備えたことを特徴とする表示装置。
【請求項２】
前記制御部は、
前記受光素子群の各受光素子の検出信号に基づいて高輝度表示画素と低輝度表示画素とを識別し、前記高輝度表示画素および前記低輝度表示画素の各々について所定の駆動期間における相対輝度の劣化分を検出する相対輝度劣化検出部と、
前記温度推定部が推定した画素個々についての温度上昇分に対して前記相対輝度劣化検出部が検出した前記高輝度表示画素および前記低輝度表示画素の各々についての相対輝度の劣化分を反映させる規格化処理部とを有し、
前記規格化処理部の処理結果に基づいて温度差に起因する輝度ムラが一定になるように前記発光素子の発光輝度を制御する
ことを特徴とする請求項１記載の表示装置。
【請求項３】
前記温度推定部は、
前記受光素子群の各受光素子の検出信号を基に前記発光素子の各々の電流値を推定し、この推定した電流値から前記発光素子の各々の消費電力を算出する消費電力演算部と、
前記消費電力演算部が演算した消費電力から前記発光素子の各々の温度上昇分を推定する温度上昇推定部とを有する
ことを特徴とする請求項１記載の表示装置。
【請求項４】
前記入力信号に基づいて静止画か動画かを判定する判定部を有し、
前記判定部が静止画と判定したとき、前記入力信号の信号レベルに対して所定の倍率を乗算する
ことを特徴とする請求項１記載の表示装置。
【請求項５】
一対の基板間に形成された発光素子を含む画素が複数配置されてなる表示部と、
前記一対の基板のうちの一方の基板に前記発光素子の各々に対応して配置され、当該発光素子の漏れ光を検出して光電変換する受光素子群と、
前記発光素子の各々に流れる電流値を検出する電流検出部と、
前記電流検出部が検出した電流値から画素個々の温度上昇分を推定する温度推定部と、
前記発光素子への入力信号と前記受光素子群の各受光素子の検出信号と前記温度推定部が推定した温度上昇分とを用いて前記発光素子の発光輝度を制御する制御部と
を備えたことを特徴とする表示装置。
【請求項６】
前記制御部は、
前記受光素子群の各受光素子の検出信号に基づいて高輝度表示画素と低輝度表示画素とを識別し、前記高輝度表示画素および前記低輝度表示画素の各々について所定の駆動期間における相対輝度の劣化分を検出する相対輝度劣化検出部と、
前記温度推定部が推定した画素個々についての温度上昇分に対して前記相対輝度劣化検出部が検出した前記高輝度表示画素および前記低輝度表示画素の各々についての相対輝度の劣化分を反映させる規格化処理部とを有し、
前記規格化処理部の処理結果に基づいて温度差に起因する輝度ムラが一定になるように前記発光素子の発光輝度を制御する
ことを特徴とする請求項５記載の表示装置。
【請求項７】
前記温度推定部は、
前記電流検出部が検出した前記発光素子の各々の電流値から前記発光素子の各々の消費電力を算出する消費電力演算部と、
前記消費電力演算部が演算した消費電力から前記発光素子の各々の温度上昇分を推定する温度上昇推定部とを有する
ことを特徴とする請求項６記載の表示装置。
【請求項８】
前記入力信号に基づいて静止画か動画かを判定する判定部を有し、
前記判定部が静止画と判定したとき、前記入力信号の信号レベルに対して所定の倍率を乗算する
ことを特徴とする請求項５記載の表示装置。
【請求項９】
一対の基板間に形成された発光素子を含む画素が複数配置されてなる表示装置の制御方法であって、
前記一対の基板のうちの一方の基板に前記発光素子の各々に対応して配置された発光素子群の各発光素子によって前記発光素子の漏れ光を検出する漏れ光検出ステップと、
前記受光素子群の各受光素子の検出信号から画素個々の温度上昇分を推定する温度推定ステップと、
前記発光素子への入力信号と前記受光素子群の各受光素子の検出信号と前記温度推定ステップで推定した温度上昇分とを用いて前記発光素子の発光輝度を制御する制御ステップと
を有することを特徴とする表示装置の制御方法。
【請求項１０】
一対の基板間に形成された発光素子を含む画素が複数配置されてなる表示装置の制御方法であって、
前記一対の基板のうちの一方の基板に前記発光素子の各々に対応して配置された発光素子群の各発光素子によって前記発光素子の漏れ光を検出する漏れ光検出ステップと、
前記発光素子の各々に流れる電流値を検出する電流検出ステップと、
前記電流検出ステップで検出した電流値から画素個々の温度上昇分を推定する温度推定ステップと、
前記発光素子への入力信号と前記受光素子群の各受光素子の検出信号と前記温度推定ステップで推定した温度上昇分とを用いて前記発光素子の発光輝度を制御する制御ステップと
を有することを特徴とする表示装置の制御方法。
【発明の詳細な説明】
【技術分野】
【０００１】
本発明は、表示装置および表示装置の制御方法に関し、特に有機電界発光素子（有機ＥＬ(Electro Luminescence) 素子）等の自発光素子を表示素子として用いた表示装置およびその制御方法に関する。
【背景技術】
【０００２】
近年、発光ダイオード（ＬＥＤ）、レーザダイオード（ＬＤ）、有機ＥＬ素子などの自発光素子を表示素子として用いたパネル型の表示装置（ディスプレイ）の開発が為されている。この種の表示装置は、一般に、自発光素子をマトリクス状に多数配置することによって画面部（表示パネル）が構成され、各素子を映像信号に応じて選択的に発光させることにより、映像の表示が行われる。
【０００３】
表示媒体として、テレビジョン受像機、コンピュータモニター、携帯情報端末などに代表されるように、我々の日常生活の中でディスプレイは大きな役割を担っている。インターネットの進展に伴い、ヒューマンインターフェイスとしてのディスプレイの重要性は益々大きくなっている。このような状況下で、目に優しく、高精細な画面で見やすく、かつ動画に遅れなしにくっきりと綺麗に見える高解像度、高速応答のディスプレイが要求されている。
【０００４】
自発光素子を用いた表示装置は、非自発光素子を用いた表示装置、例えば液晶を用いた液晶表示装置（ＬＣＤ；(Liquid Crystal Display)に比べて、バックライトが不要なために、薄型化、軽量化を実現でき、消費電力の点でも有利であるなどの利点がある。特に、有機ＥＬ素子を用いた有機ＥＬ表示装置は、視野角が広く、視認性が高いこと、素子の応答速度が速いことなどから、近年注目されている。
【０００５】
これに対して、自発光素子、例えば有機ＥＬ素子には、発光に伴う発熱などによって各有機層が劣化し、発光輝度が低下するとともに、発光自体が不安定になるなどの経時的劣化の問題がある。また、有機ＥＬ素子は発光ダイオード特性を示し、温度上昇に伴ってデバイスに流れる電流が比例して大きくなり、結果的に発光輝度と比例関係にあるために、デバイスの劣化を促進する傾向にある。このような問題は、有機ＥＬ表示装置に限らず、他の自発光素子を用いた表示装置、例えばプラズマディスプレイなどでも起こる。
【０００６】
その対策のために、従来は、電流量と発光輝度との比例関係を利用して、デバイスに流れる電流量を抑制することによって温度上昇による輝度劣化を抑えるようにしていた（例えば、特許文献１参照）。
【０００７】
また、走査線とデータ線との交差点の画素近傍に温度センサを配置し、当該温度センサが検出する周囲温度の変化に応じて走査線を駆動する駆動電圧の電圧レベルを制御することにより、周囲温度が変化しても均一で明るい表示を行うようにしていた（例えば、特許文献２参照）。
【０００８】
【特許文献１】特開２００３−３２３１５２号公報
【特許文献２】特開２００３−１５７０５０号公報
【発明の開示】
【発明が解決しようとする課題】
【０００９】
しかしながら、特許文献１記載の従来技術では、デバイスに流れる電流量を抑制するようにしているために、電流量の制御によって発光輝度が低下し、良好な画像表示を提供できないなどの問題があった。
【００１０】
一方、有機ＥＬ素子は発光輝度-印加電圧特性の温度依存性がデバイスごとに異なる。したがって、温度センサの検出出力だけを用いて発光輝度の制御を行う特許文献２記載の従来技術では、デバイス（有機ＥＬ素子）個々の発光輝度-印加電圧特性の温度に起因する変化の違いに対応できないなどの問題がある。
【００１１】
そこで、本発明は、デバイス個々の発光輝度-印加電圧特性の温度に起因する変化の違いの影響を受けることなく、デバイス個々に対して最適な輝度制御を行うことが可能な表示装置および表示装置の制御方法を提供することを目的とする。
【課題を解決するための手段】
【００１２】
上記目的を達成するために、本発明では、一対の基板間に形成された発光素子を含む画素が複数配置されてなる表示装置において、前記一対の基板のうちの一方の基板に、発光素子の各々に対応して受光素子を配置し、当該受光素子によって発光素子の漏れ光を検出することによって発光素子個々の輝度を検出するとともに、前記受光素子群の各受光素子の検出信号から、あるいは、前記発光素子の各々に流れる電流値から画素個々の温度上昇分を推定する。そして、前記発光素子への入力信号と前記受光素子群の各受光素子の検出信号と推定した温度上昇分とを用いて前記発光素子の発光輝度を制御する構成を採っている。
【００１３】
上記構成の表示装置において、各受光素子の検出信号から、あるいは、発光素子の各々に流れる電流値から推定した発光素子個々の温度情報のみならず、発光素子個々の輝度情報をも用いて発光素子個々の発光輝度の制御を行うことにより、温度の変化に伴う発光輝度の変化の仕方がデバイスごとに異なっていても、発光素子個々の温度変化に応じた発光輝度の制御に発光素子個々の輝度の変化状況を反映させ、温度差に起因する輝度ムラを一定にすることができる。
【発明の効果】
【００１４】
本発明によれば、温度差に起因する輝度ムラを一定にすることができることで、表示エリア全域において表示温度が異なる箇所でも所定の均一な発光輝度（発光強度）で表示を行うことができるために、滑らかな画像表示を実現できる。
【発明を実施するための最良の形態】
【００１５】
以下、本発明の実施の形態について図面を参照して詳細に説明する。
【００１６】
図１は、本発明に係る表示装置、例えば上面発光型有機ＥＬ表示装置のパネルモジュールの構成の概略を示す要部断面図である。
【００１７】
（上面発光型有機ＥＬ表示装置）
図１に示すように、有機ＥＬ表示装置１０は、支持基板１１と対向基板１２とを有し、これら基板１１，１２間に挟持される形で発光素子１３が設けられた構成となっている。支持基板１１は、石英、ガラス等の透明基板やシリコン基板などの中から適宜選択されて用いられる。
【００１８】
ここでは、有機ＥＬ表示装置１０の駆動方式としてアクティブマトリクス方式を採用するものとする。ただし、有機ＥＬ表示装置１０の駆動方式としては、アクティブマトリクス方式に限られるものではなく、パッシブマトリクス方式を採用した場合であっても、本発明は適用可能である。
【００１９】
支持基板１１には、発光素子１３を含む画素ごとに、発光素子１３を駆動するトランジスタ、例えばＴＦＴ(Thin Film Transistor;薄膜トランジスタ)が形成されている。支持基板１１にはさらに、ここでの図示を省略した駆動回路、具体的には発光素子１３を含む画素が行列状に２次元配置されてなる表示部を駆動するに当たって、当該表示部の各画素を画素行ごとに配線された走査線を介して行単位で選択する行選択回路や、当該行選択回路によって選択された行の各画素に、画素列ごとに配線されたデータ線を介して表示データを供給するデータ線駆動回路などが設けられている。
【００２０】
発光素子１３は、自発光素子である有機ＥＬ素子からなり、支持基板１１の一主面側中央部の表示領域にマトリクス状（行列状）に２次元配置されている。これらの発光素子１３は、それぞれが例えばＲ（赤）、Ｇ（緑）、Ｂ（青）の各色に発光するものであり、所定の配列形式に従って表示領域に配列されている。また、発光素子１３の相互間には、各発光素子１３を分離する素子分離絶縁層１４が形成されている。この素子分離絶縁層１４の部分に、上記走査線が画素行ごとに配線されることになる。
【００２１】
発光素子１３は、支持基板１１上に各発光素子１３ごとに配列形成される下部電極（陽極）１５と、下部電極１５上に形成され、各色に発光する発光層を含む有機層１６と、各有機層１６および素子分離絶縁層１４を覆う状態でベタ膜状に形成され、各発光素子１３の共通電極となる上部電極（陰極）１７とが順次積層されている。
【００２２】
なお、ここでは、下部電極１５を陽極、上部電極１７を陰極としているが、下部電極１５が陰極で、上部電極１７が陽極であってもよい。また、上部電極１７と対向基板１２との間には、例えば窒化シリコンからなる透明材料膜１８が設けられている。
【００２３】
対向基板１２の表面側には、各発光素子１３の間となる位置、即ち走査線が配線される素子分離絶縁層１４の部位と対向する位置に、受光素子１９が発光素子１３に対応した数だけ配置されている。具体的には、受光素子１９は、対向基板１２の表面側に形成された凹部１２ａを埋め込む状態で設けられている。この凹部１２ａは、支持基板１１と対向基板１２とを対向配置させる前に、エッチング等によって形成されることとする。
【００２４】
なお、ここでは、受光素子１９を対向基板１２の表面側に形成された凹部１２ａに埋め込んだ配置構造を採っているが、対向基板１２における発光素子１３側に凹部を形成し、当該凹部に受光素子１９を埋め込む配置構造や、透明材料膜１８の対向基板１２側に凹部を形成し、当該凹部に受光素子１９を埋め込む配置構造を採ることも可能である。
【００２５】
受光素子１９は、例えばアモルファスシリコン半導体によって形成された高感度受光センサ（可視光センサ）であり、対応関係にある発光素子１３の漏れ光を検出して光電変換し、受光量に応じた電気信号を発生する。発光素子１３と受光素子１９との対応関係については後述する。
【００２６】
受光素子１９としては、アモルファスシリコン半導体によって形成された高感度受光センサに限られるものではなく、受光量に応じて電気信号を発生させることができる周知の受光センサを用いることができる。ただし、受光素子１９として高感度受光センサを用いることで、後述するように、発光素子１３の発光強度に対して２０％程度の光量の漏れ光を検出できる利点がある。
【００２７】
また、有機ＥＬ素子には、その構造上受光素子としての機能を持たせることも可能であることから、有機ＥＬ素子を受光素子１９として用いることも可能である。有機ＥＬ素子を受光素子１９として用いることで、有機ＥＬ表示装置にあっては、発光素子１３と受光素子１９とを同じプロセスで形成することができるために、製造プロセス上有利であるという利点がある。
【００２８】
受光素子１９は、画素の配列ピッチや上部電極１７および透明材料膜１８の膜厚などで決まる発光素子１３に対する配置関係から、発光素子１３の発光強度に対して２０％程度の光量の漏れ光を検出することができる。このように、受光素子１９が発光素子１３の発光強度の２０％程度を受光できれば、当該受光素子１９の受光出力に基づく後述する制御を十分に実現できる。
【００２９】
また、図２の平面図に示すように、受光素子１９はスキャン方向において平面視的に隣接する各発光素子１３の間に配置されている。そして、先述した行選択回路による画素行の走査の際に、ある画素行の発光素子１３が選択されたときに、この選択行の発光素子１３に隣接する一方の受光素子１９が当該発光素子１３の漏れ光をモニタリングする対応関係となっている。この対応関係が先述した発光素子１３と受光素子１９との対応関係である。
【００３０】
すなわち、ある画素行の発光素子１３とこれにスキャン方向に隣接する一方の受光素子１９とが対となり、発光素子１３のスキャン周期と同周期で当該発光素子１３と対応関係にある受光素子１９が発光素子１３の漏れ光をモニタリングすることになる。このタイミング関係により、１つの受光素子１９に対してスキャン方向における両側に隣接して発光素子１３が２個存在していても、受光素子１９が一方の発光素子１３からの光漏れ量のみを受光し、他方の発光素子１３からの光漏れ量を受光することを防止できる。ここで、図２のＡ−Ａ′線に沿った矢視断面図が図１の断面構成図となる。
【００３１】
以上により、発光素子１３の有機層１６からの発光光を対向基板１２側から取り出すいわゆる上面発光型有機ＥＬ表示装置１０のパネルモジュールが構成されている。
【００３２】
ここでは、上面発光型有機ＥＬ表示装置１０を例に挙げたが、本発明は上面発光型有機ＥＬ表示装置１０への適用に限られるものではなく、発光素子１３の有機層１６からの発光光を支持基板１１側から取り出すいわゆる下面（ボトム）発光型有機ＥＬ表示装置に対しても適用可能である。以下に、下面発光型有機ＥＬ表示装置のパネルモジュールの構造について説明する。
【００３３】
（下面発光型有機ＥＬ表示装置）
図３は、本発明に係る下面発光型有機ＥＬ表示装置のパネルモジュールの構成の概略を示す要部断面図であり、図中、図１と同等部分には同一符号を付して示している。
【００３４】
図３に示すように、下面発光型の有機ＥＬ表示装置１０′の場合は、有機層１６からの発光光が支持基板１１側から取り出されるため、上部電極１７は反射性材料で形成され、下部電極１５は透明性材料で形成される。ここで、下部電極１５は、支持基板１１に配置されたＴＦＴを覆う状態で設けられた平坦化絶縁膜（図示省略）上に、各発光素子１３に対応する状態で配置されている。
【００３５】
そして、受光素子１９は、下部電極１５間の平坦化絶縁膜上に、隣接する下部電極１５とは離間する状態で配置されている。また、この受光素子１９で発光素子１３の漏れ光を検出するため、上記受光素子１９を覆う状態で配置される素子分離絶縁層１４は、透明材料によって生成される。
【００３６】
以上の点が、下面発光型有機ＥＬ表示装置１０′のパネルモジュールが上面発光型有機ＥＬ表示装置１０のパネルモジュールと構造上相違する点であり、それ以外の構造については上面発光型有機ＥＬ表示装置１０のパネルモジュールと基本的に同じである。
【００３７】
以上説明した、上面発光型有機ＥＬ表示装置１０あるいは下面発光型有機ＥＬ表示装置１０′は、パネルモジュールに加えて、以下に説明する各実施形態に係る制御部を備えており、当該制御部によってパネルモジュールの表示制御（駆動制御）を行う構成となっている。
【００３８】
［第１実施形態］
図４は、先述した構成を持つパネルモジュール１０Ａの制御を行う本発明の第１実施形態に係る制御部３０Ａの構成の一例を示すブロック図である。
【００３９】
図４に示すように、本実施形態に係る制御部３０Ａは、レベル制御部３０１、相対レベル調整部３０２、メモリー部３０３、除算部３０４、Ａ／Ｄ（アナログ／デジタル）変換部３０５、メモリー部３０６、乗算部３０７、相対輝度劣化検出部３０８、温度推定部３０９、データ規格化処理部３１０、電圧除算演算部３１１、電圧除算結果比較演算部３１２、電圧除算比率制御部３１３および演算選択制御部３１４を有する構成となっている。
【００４０】
本制御部３０Ａは、入力されるデジタル映像信号に応じてパネルモジュール１０Ａ内の表示部の各画素の表示制御を行う一方、パネルモジュール１０Ａに設けられた受光素子群の各受光素子１９の検出信号に基づいて各画素の発光輝度の変化をモニタリングするとともに、受光素子群の各受光素子１９の検出信号から発光素子１３の各々の温度を推定し、この推定した温度情報に基づいて各画素の温度変化をモニタリングし、発光素子１３の温度差に起因する輝度ムラが一定になるように発光素子１３の輝度制御を行う。
【００４１】
制御部３０Ａにおいて、デジタル映像信号は、レベル制御部３０１および相対レベル調整部３０２を介してメモリー部３０３に供給され、当該メモリー部３０３に各表示画素の階調値が保存された後パネルモジュール１０Ａに供給される。レベル制御部３０１および相対レベル調整部３０２の各機能については後述する。
【００４２】
パネルモジュール１０Ａにおいては、先述したように、画素が行列状に２次元配置されてなる表示部の各画素を行単位で選択するとともに、この選択行の各画素にデジタル映像信号に応じた表示データを書き込むことにより、デジタル映像信号に応じた階調にて各画素の発光素子１３の発光駆動が行われる。
【００４３】
この行走査による表示駆動により、各画素の発光素子１３が行単位で順に発光すると、各受光素子１９が対応関係にある各発光素子１３の漏れ光を受光し、光電変換して受光量に応じた電圧値として出力する。受光素子１９から出力される電圧値は除算部３０４に供給される。
【００４４】
除算部３０４は、乗算部３０７を介してメモリー部３０３から与えられる階調値で、受光素子１９から出力される電圧値を除算する演算処理を行う。ここで、表示画素の発光強度（発光輝度）が強ければ（明るければ）階調が高く、逆に発光強度が弱ければ（暗ければ）階調が低いということであるため、除算部３０４による除算結果から表示画素の輝度の状態（高輝度であるか低輝度であるか）を認識することができる。この除算結果は、Ａ／Ｄ変換部３０５でデジタルデータに変換され、メモリー部３０６に保存される。
【００４５】
乗算部３０７は、メモリー部３０３に保存されている各表示画素の階調値に対して２０％の乗算処理を行う。ここで、表示画素の階調値に対して２０％の乗算処理を行うのは、先述したように、受光素子１９が受光する漏れ光の受光量が発光素子１３の発光量の２０％程度であることから、除算演算の対象となる受光素子１９からの電圧値とメモリー部３０３からの階調値とを対応させる（揃える）ためである。
【００４６】
なお、ここでは、メモリー部３０３からの階調値に対して乗算部３０７で２０％の乗算処理を行うとしたが、受光素子１９からの電圧値に対して５倍の乗算処理を行うことによっても、除算部３０４での除算演算の対象となる受光素子１９からの電圧値とメモリー部３０３からの階調値とを対応させることができる。
【００４７】
相対輝度劣化検出部３０８は、メモリー部３０６の保存データから、１表示画面における最高輝度もしくはその近傍の輝度で発光する画素を高輝度表示画素、最低輝度もしくはその近傍の輝度で発光する画素を低輝度表示画素として認識し、高輝度表示画素および低輝度表示画素の各々について、乗算部３０７を介してメモリー部３０３から与えられる階調値を基に、所定の駆動期間における相対輝度劣化分を検出する。
【００４８】
温度推定部３０９は、有機ＥＬ素子が発光ダイオード特性を示し、発光輝度と電流量との間に比例関係があるという特性を利用し、受光素子群の各受光素子１９の検出信号、即ちメモリー部３０６の保存データから発光素子１３の各々に流れる電流値を推定し、この推定した電流値から消費電力を算出し、この算出した消費電力から画素個々の温度上昇分を推定する構成となっている。
【００４９】
具体的には、温度推定部３０９は、消費電力演算部３０９１および利潤演算温度上昇推定部３０９２によって構成されている。この温度推定部３０９において、消費電力演算部３０９１は、メモリー部３０６の保存データから発光素子１３の各々に流れる電流値を推定し、この推定した電流値から消費電力を演算する。ここで、発光素子１３では、流れる電流が多くなり、消費電力Ｐが増えると、図５に示すように、それに比例して温度上昇分ΔＴが大きくなる。利潤演算温度上昇推定部３０９２は、図５に示す消費電力Ｐ−温度上昇分ΔＴの線形の関係を基に、消費電力演算部３０９１が求めた消費電力Ｐから発光素子１３の温度上昇分ΔＴを画素個々について推定する。
【００５０】
データ規格化処理部３１０は、図６に示す温度上昇推定値と輝度補正乗算係数との相関表に対応した相関データテーブルを有し、利潤演算温度上昇推定部３０９２で推定された温度上昇分ΔＴ、即ち温度上昇推定値を基に当該温度上昇推定値に対応する輝度補正乗算係数Ｋを画素個々について求める。
【００５１】
そして、データ規格化処理部３１０は、求めた画素個々の輝度補正乗算係数Ｋに、相対輝度劣化検出部３０８で検出された高輝度表示画素および低輝度表示画素の各々についての相対輝度劣化分を反映させ、高輝度表示画素の相対輝度劣化分が反映された温度変化分に応じた第１の電圧値（以下、「高輝度表示画素の相対輝度劣化分」と記述する）ΔＬａと、低輝度表示画素の相対輝度劣化分が反映された温度変化分に応じた第２の電圧値（以下、「低輝度表示画素の相対輝度劣化分」と記述する）ΔＬｂとに規格化（換算）する。
【００５２】
電圧除算演算部３１１は、画素個々について、データ規格化処理部３１０で規格化された高輝度表示画素の相対輝度劣化分ΔＬａを低輝度表示画素の相対輝度劣化分ΔＬｂで除算する。この除算比率（除算係数）ΔＬａ／ΔＬｂは、高輝度表示画素の相対輝度劣化分が反映された温度上昇分と低輝度表示画素の相対輝度劣化分が反映された温度上昇分との比であることから、温度差に起因して発生する輝度ムラの程度を表すことになる。
【００５３】
電圧除算結果比較演算部３１２は、画素個々について、電圧除算演算部３１２での除算結果である除算係数ΔＬａ／ΔＬｂを所定の基準値と比較することにより、温度差に起因して発生する輝度ムラの程度を判定する。
【００５４】
電圧除算比率制御部３１３は、電圧除算結果比較演算部３１２による輝度ムラの程度の判定結果を基に、輝度補正を行うための制御値を画素個々について算出する。この制御値は、温度差に起因して発生する輝度ムラが一定に（均一に）なるように、入力デジタル信号の信号レベルを補正する輝度補正値となる。
【００５５】
ここで、電圧除算演算部３１１、電圧除算結果比較演算部３１２および電圧除算比率制御部３１４には、演算される電圧値と輝度との対応関係を示す対応表が組み込まれていることとする。これにより、輝度補正を行う上で、演算される電圧値がどれくらいの輝度値に相当するかを各回路部ごとに照会できるためにスムーズな補正が可能となる。
【００５６】
演算選択制御部３１４は、電圧除算比率制御部３１３で算出された画素個々の輝度補正値（制御値）を基にして、補正処理の対象画素が高輝度表示画素であるときに、当該高輝度表示画素に対して信号レベル（輝度レベル）の補正を行うか否かの選択制御を行う。そして、演算選択制御部３１４による選択結果を基に、レベル制御部３０１は、高輝度表示画素の信号レベルに対して、電圧除算比率制御部３１３で算出された輝度補正値に応じた補正制御を行う。
【００５７】
相対レベル調整部３０２は、静止画判定部３０２１、切り替えスイッチ３０２２およびレベル調整部３０２３によって構成されている。
【００５８】
静止画判定部３０２１は、例えば図７に示すように、フレームメモリ３０２１１、演算回路３０２１２および判定回路３０２１３からなり、Ｎフレーム目の映像信号レベルＶ１Ｎと、フレームメモリ３０２１１に格納された１フレーム前のＮ−１フレーム目の映像信号レベルＶ１（Ｎ−１）とを用いて、演算回路３０２１２で
［｛Ｖ１Ｎ−Ｖ１（Ｎ−１）｝／Ｖ１（Ｎ−１）］×１００
なる演算処理を行い、その演算結果がＮ−１フレーム目の映像信号レベルＶ１（Ｎ−１）の例えば７０％以下であるか否かを判定回路３０２１３で判定し、７０％以下であるときに静止画であると判定する。当然のことながら、７０％を越えるときは動画となる。
【００５９】
切り替えスイッチ３０２２は、通常は、入力されるデジタル映像信号を直接メモリー部３０３へ供給し、静止画判定部３０２１の判定結果が静止画であるときは入力されるデジタル映像信号を、レベル調整部３０２３を介してメモリー部３０３へ供給する。レベル調整部３０２３は、静止画と判定されたときの映像信号の信号レベルを例えば１００倍に乗算処理を行う。
【００６０】
ここで、静止画と判定されたときに映像信号の信号レベルを１００倍するのは次の理由による。すなわち、先述したように、相対輝度劣化検出部３０８において所定期間（例えば、１フレーム期間）における発光輝度（輝度レベル）の変化分の検出が行われるが、静止画であっても、デバイスの温度変化などに起因してフレーム間において輝度レベルに変動が生じる。そして、１フレーム期間における静止画の輝度レベルの変化分は、１フレーム期間における動画の輝度レベルの変化分に比べて１／１００程度と極めて微小である。
【００６１】
したがって、静止画と判定したときに、映像信号の信号レベルに対して１００倍程度の乗算処理を施すことにより、相対輝度劣化検出部３０８において、前後のフレーム間での微弱な信号レベルの推移（輝度変化）の検出処理を容易に行うことができる。ただし、１００倍という数値は一例に過ぎず、これに限られるものではなく、少なくとも、前後のフレーム間での微弱な信号レベルの推移を検出できる程度の倍率であれば良い。
【００６２】
また、静止画と判定したときに、映像信号の信号レベルに対して１００倍程度の乗算処理を施すことにより、１フレーム期間における輝度レベルの変化分を静止画時と動画時で同程度の電圧値にすることができる。このように、輝度レベルの変化分を静止画時と動画時で同程度の電圧値にすることで、データ規格化処理部３１０→電圧除算部３１１→電圧除算結果比較演算部３１２→電圧除算比率制御部３１３→演算選択制御部３１４→レベル制御部３０１の補正制御系を静止画時と動画時とで共通にできる（分けなくて済む）。この場合は、１００倍という数値が有効に作用する。
【００６３】
なお、静止画時の信号レベルの調整については、静止画時の信号レベルとそれに対応した輝度値との対応表をレベル調整部３０２３にあらかじめ組み込んでおき、この対応表を用いて静止画時の信号レベルをそれに対応した輝度値に設定する構成を採ることも可能である。
【００６４】
上記構成の本実施形態に係る制御部３０Ａを備えた有機ＥＬ表示装置１０（１０′）において、発光素子１３として用いられる有機ＥＬ素子は、発光に伴う発熱などによって有機層１６（図１参照）が劣化し、発光輝度が低下するとともに、発光自体が不安定になるなどの経時的劣化の問題を抱えている。また、有機ＥＬ素子は、発光ダイオード特性を示し、温度上昇に伴ってデバイスに流れる電流が比例して大きくなり、結果的に発光輝度と比例関係にある。
【００６５】
図８に、有機ＥＬ素子の発光輝度−印加電圧特性の温度依存性の一例を示す。具体的には、ある電圧値の印加電圧をデバイス（有機ＥＬ素子）に印加し、当該デバイスの温度が３０℃のときに発光輝度がＬ１で発光している状態において、温度が４５℃へ、さらに６０℃へ上昇すると、この温度の上昇に伴って発光輝度がＬ２（Ｌ１＜Ｌ２）へ、さらにＬ３（Ｌ２＜Ｌ３）へと変化する。
【００６６】
このように、有機ＥＬ素子を発光素子１３として用いた表示装置では、有機ＥＬ素子が自発光素子であるが故に、特に同じ表示状態が長く続けばそれだけ温度が上昇する。そして、デバイスの温度の上昇に伴って発光輝度が変化し、しかもその変化の仕方がデバイスごとに異なるという現状において、本実施形態に係る有機ＥＬ表示装置１０（１０′）では次のような構成を採ることを特徴としている。
【００６７】
すなわち、本実施形態に係る有機ＥＬ表示装置１０（１０′）では、一対の基板１１，１２のうちの一方の基板、具体的には光取り出し側の対向基板１２側に、発光素子１３の各々に対応して受光素子１９を配置し、当該受光素子１９によって検出する発光素子１３の漏れ光から発光素子１３個々の輝度を検出する一方、制御部３０による制御の下に、受光素子１９によって検出する発光素子１３の光漏れ量に基づく輝度情報から発光素子１３の各々の温度上昇分ΔＴを推定するとともに、この推定した温度上昇分ΔＴと入力デジタル信号と受光素子１９の検出信号とを用いて、温度差に起因する輝度ムラが一定になるように発光素子１３の発光輝度を制御する構成を採っている。
【００６８】
このように、発光素子１３個々の温度情報のみならず、発光素子１３個々の輝度情報をも用いて相対輝度の劣化分を検出し、当該相対輝度の劣化分を加味して発光素子１３個々の発光輝度の制御を行う、具体的には温度差に起因する輝度ムラが一定になるように発光素子１３個々の発光輝度の制御を行うことにより、表示エリア全域において表示温度が異なる箇所でも所定の均一な発光輝度（発光強度）で表示を行うことができるために、滑らかな画像表示を実現できる。
【００６９】
特に、本実施形態に係る制御部３０Ａを備えた有機ＥＬ表示装置１０（１０′）では、受光素子１９にて検出する発光素子１３の輝度情報から温度推定部３０９によって発光素子１３の各々の温度上昇分を推定する、より具体的には、消費電力演算部３０９１によってメモリー部３０６の保存データから発光素子１３の各々の電流値を推定し、この推定した電流値から消費電力Ｐを算出し、この算出した消費電力Ｐから利潤演算温度上昇推定部３０９２によって発光素子１３の温度上昇分ΔＴを画素個々について推定する構成を採っている。
【００７０】
これにより、発光素子１３個々の温度を検出する専用の温度センサをパネルモジュール１０Ａに設けなくて済むために、パネルモジュール１０Ａの構成の簡略化、それに伴う低コスト化を図ることができる。しかも、相対輝度劣化分を検出するための輝度情報を用いて温度上昇分の推定を行うことにより、発光素子１３個々の温度を検出するための手段を全く必要としない構成を採っているために、パネルモジュール１０Ａの構造に全く変更を加える必要がないという利点がある。
【００７１】
なお、上記構成の制御部３０Ａについては、画素が行列状に配置されてなる表示部やその周辺の駆動回路と共に、パネルモジュール１０Ａ上に搭載する構成を採っても良いし、あるいは、パネルモジュール１０Ａ外に設ける構成を採っても良い。
【００７２】
ここで、本実施形態に係る制御部３０Ａの各構成要素、即ちレベル制御部３０１、相対レベル調整部３０２、メモリー部３０３、除算部３０４、Ａ／Ｄ変換部３０５、メモリー部３０６、乗算部３０７、相対輝度劣化検出部３０８、温度推定部３０９、データ規格化処理部３１０、電圧除算部３１１、電圧除算結果比較演算部３１２、電圧除算比率制御部３１３および演算選択制御部３１４については、パーソナルコンピュータのように、所定プログラムを実行することによって情報記憶処理、信号処理、演算処理等の各機能を実行するコンピュータ機器を利用してソフトウェア構成によって実現することが考えられる。ただし、ソフトウェア構成による実現に限られるものではなく、ハードウェア構成、あるいはハードウェアとソフトウェアの複合構成によって実現することも可能である。
【００７３】
（制御方法）
次に、上記構成の本実施形態に係る有機ＥＬ表示装置１０（１０′）の制御方法（本発明による表示装置の制御方法）の処理手順について、図９のフローチャートを用いて具体的に説明する。この制御方法による処理は、図４の制御部３０Ａの処理に相当する。なお、この一連の処理は、スキャン周期に同期して画素単位で実行されることとする。
【００７４】
なお、静止画の場合も動画の場合も制御方法は同じであるために、ここでは、静止画／動画の共通の制御として説明する。
【００７５】
先ず、画像表示のためのデジタル映像信号を取り込み（ステップＳ１１）、当該映像信号の信号レベルで示される階調値を保存し（ステップＳ１２）、しかる後デジタル映像信号をパネルモジュール１０Ａに対して入力する（ステップＳ１３）。これにより、パネルモジュール１０Ａでは、デジタル入力信号に基づいて画素の表示駆動が行われ、各画素の発光素子１３が発光する。
【００７６】
発光素子１３が発光することにより、対応関係にある受光素子１９が当該発光素子１３の漏れ光を受光し、その受光量に応じた電気信号、即ち発光輝度に応じた電圧値を出力する。
【００７７】
このように、パネルモジュール１０Ａが表示駆動状態にあるときに、受光素子１９から出力される発光輝度に応じた電圧値（輝度電圧値）を取り込み（ステップＳ１４）、この輝度電圧値をステップＳ１２で保存した階調値で除算し（ステップＳ１５）、デジタルデータ化した後保存する（ステップＳ１６）。
【００７８】
次いで、高輝度表示画素および低輝度表示画素の各々について、ステップＳ１２で保存した階調値を基に、所定の駆動期間における発光輝度の劣化分を検出する（ステップＳ１７）。
【００７９】
なお、ステップＳ１５での除算処理や、ステップＳ１７での輝度劣化分の検出に用いられる階調値は、実際には、受光素子１９が受光する漏れ光の受光量が発光素子１３の発光量の２０％程度であり、受光素子１９からの電圧値に対応させるために、２０％の除算処理が行われたものとなる。
【００８０】
次に、ステップＳ１４で取り込んだ発光輝度に応じた電圧値（輝度電圧値）を基に発光素子１３の各々に流れる電流値を推定し（ステップＳ１８）、この推定した電流値から消費電力Ｐを求め（ステップＳ１９）、この求めた消費電力Ｐから発光素子１３の温度上昇分ΔＴを画素個々について推定する（ステップＳ２０）。
【００８１】
なお、高輝度表示画素および低輝度表示画素の各々について輝度変化分を検出するためのステップＳ１４〜Ｓ１７の各処理と、画素個々について温度上昇分ΔＴを推定するためのステップＳ１８〜Ｓ２０の各処理については、その処理の順番が逆であっても良く、また双方の処理を並行して行うようにしても良い。
【００８２】
次に、温度上昇推定値と輝度補正乗算係数との相関データテーブルを基にして、画素個々の温度上昇分ΔＴを、ステップＳ１７で検出した高輝度表示画素および低輝度表示画素の各々についての輝度劣化分に対応した電圧値（高輝度表示画素の相対輝度劣化分）ΔＬａと、低輝度表示画素の温度変化分に応じた電圧値（低輝度表示画素の相対輝度劣化分）ΔＬｂとに規格化（換算）する（ステップＳ２１）。
【００８３】
次に、高輝度表示画素の相対輝度劣化分ΔＬａを低輝度表示画素の相対輝度劣化分ΔＬａで除算し（ステップＳ２２）、次いで、高輝度表示画素と低輝度表示画素との間に所定の温度差があるときの除算結果ΔＬａ／ΔＬｂを基に、除算係数ΔＬａ／ΔＬｂと輝度ムラの発生程度との対応関係から、温度差に起因する輝度ムラの発生程度を判定する（ステップＳ２３）。
【００８４】
次に、温度差に起因する輝度ムラの発生程度から、当該輝度ムラを一定にするための輝度補正値（制御値）を画素個々について算出し（ステップＳ２４）、次いで、この輝度補正値を基に、補正処理の対象画素が高輝度表示画素であるときに、当該高輝度表示画素に対して信号レベル（輝度レベル）の補正を行うか否かを選択し（ステップＳ２５）、次いで、この選択結果に基づいてデジタル映像信号の画素単位の信号レベル（輝度レベル）を制御することによって輝度補正を行う（ステップＳ２６）。
【００８５】
上述した一連の処理により、高輝度表示画素および低輝度表示画素の各々について相対輝度の劣化分を検出し、画素個々の温度上昇分ΔＴを高輝度表示画素および低輝度表示画素の各々についての相対輝度の劣化分に対応した高輝度表示画素の相対輝度劣化分ΔＬａと低輝度表示画素の相対輝度劣化分ΔＬｂとに換算することによって温度補正を行い、この温度補正によって得られた相対輝度劣化分ΔＬａ，ΔＬｂの除算結果ΔＬａ／ΔＬｂを基に、温度差に起因して発生する輝度ムラが一定になるように輝度補正が行われる。これにより、表示エリア全域において表示温度が異なる箇所でも所定の均一な発光輝度（発光強度）で表示を行うことができるために、滑らかな画像表示を実現できる。
【００８６】
［第２実施形態］
図１０は、本発明の第２実施形態に係る制御部３０Ｂの構成の一例を示すブロック図である。
【００８７】
本実施形態に係る制御部３０Ｂは、発光素子１３に流れる電流値を画素ごとに検出する電流検出部２０がパネルモジュール１０Ａに搭載されていることが前提となる。電流検出部２０としては、例えば、画素ごとに発光素子１３に対して抵抗を直列に接続し、当該抵抗の両端電圧に基づいて発光素子１３に流れる電流値を検出する構成のものなどを用いることが考えられる。
【００８８】
制御部３０Ｂは、レベル制御部３２１、相対レベル調整部３２２、メモリー部３２３、除算部３２４、Ａ／Ｄ変換部３２５、メモリー部３２６、乗算部３２７、相対輝度劣化検出部３２８、Ａ／Ｄ変換部３２９、メモリー部３３０、温度推定部３３１、データ規格化処理部３３２、電圧差分演算部３３３、電圧差分結果比較演算部３３４、電圧差分比率制御部３３５および演算選択制御部３３６を有する構成となっている。
【００８９】
制御部３０Ｂにおいては、入力されるデジタル映像信号に応じてパネルモジュール１０Ａ内の表示部の各画素の表示制御を行う一方、パネルモジュール１０Ａに設けられた受光素子群の各受光素子１９の受光出力に基づいて各画素の発光輝度変化をモニタリングするとともに、電流検出部２０によって検出して得られる発光素子１３個々の電流値から発光素子１３個々の消費電力を算出し、この算出した消費電力からの推定によって各画素の温度変化分ΔＴをモニタリングし、発光素子１３の温度差に起因する輝度ムラが一定になるように発光素子１３の輝度制御が行われる。
【００９０】
この制御部３０Ｂは、電流検出部２０によって各画素ごとに検出した発光素子１３の電流値、即ちメモリー部３３０の保存データから発光素子１３個々の消費電力を算出し、この算出した消費電力から画素個々の温度上昇分ΔＴを推定する点で、受光素子群の各受光素子１９の検出信号、即ちメモリー部３０６の保存データから発光素子１３の各々の電流値を推定し、この推定した電流値から発光素子１３個々の消費電力を算出し、この算出した消費電力から画素個々の温度上昇分ΔＴを推定する第１実施形態に係る制御部３０Ａと相違しており、それ以外の構成については制御部３０Ａの構成と基本的に同じである。
【００９１】
したがって、以下では、制御部３０Ａと相違する点、即ち電流検出部２０によって各画素ごとに検出した発光素子１３個々の電流値から発光素子１３個々の消費電力を算出し、この算出した消費電力から画素個々の温度上昇分ΔＴを推定するための具体的な構成を中心に説明する。
【００９２】
パネルモジュール１０Ａ内に設けられたの電流検出部２０は、発光素子１３に流れる電流値を画素ごとに検出し、その検出結果を電圧値として出力する。電流検出部２０から出力される電圧値はＡ／Ｄ変換部３０９でデジタルデータに変換され、メモリー部３１０に保存される。
【００９３】
温度推定部３３１は、消費電力演算部３３１１および利潤演算温度上昇推定部３３１２によって構成されている。この温度推定部３３１において、消費電力演算部３３１１は、メモリー部３３０の保存データ、即ち発光素子１３に流れる電流値から当該発光素子１３の消費電力を算出する。先述したように、発光素子１３では、流れる電流が多くなり、消費電力Ｐが増えると、それに比例して温度上昇分ΔＴが大きくなる（図５参照）。利潤演算温度上昇推定部３３１２は、図５に示す消費電力Ｐ−温度上昇分ΔＴの線形の関係を基に、消費電力演算部３３１１が求めた消費電力Ｐから発光素子１３の温度上昇分ΔＴを画素個々について推定する。
【００９４】
データ規格化処理部３３２以降、即ちデータ規格化処理部３３２、電圧差分演算部３３３、電圧差分結果比較演算部３３４、電圧差分比率制御部３３５および演算選択制御部３３６の各機能については、第１実施形態のデータ規格化処理部３１０、電圧差分演算部３１１、電圧差分結果比較演算部３１２、電圧差分比率制御部３１３および演算選択制御部３１４の各機能と同じである。
【００９５】
すなわち、データ規格化処理部３３２は、図６に示す温度上昇推定値と輝度補正乗算係数との相関表に対応した相関データテーブルを有し、利潤演算温度上昇推定部３３１２で推定された温度上昇分ΔＴ、即ち温度上昇推定値を基に当該温度上昇推定値に対応する輝度補正乗算係数Ｋを画素個々について求める。
【００９６】
そして、データ規格化処理部３３２は、求めた画素個々の輝度補正乗算係数Ｋに、相対輝度劣化検出部３２８で検出された高輝度表示画素および低輝度表示画素の各々についての相対輝度劣化分を反映させ、高輝度表示画素の相対輝度劣化分が反映された温度変化分に応じた高輝度表示画素の相対輝度劣化分ΔＬａと、低輝度表示画素の相対輝度劣化分が反映された温度変化分に応じた低輝度表示画素の相対輝度劣化分ΔＬｂとに規格化する。
【００９７】
電圧除算演算部３３３は、画素個々について、データ規格化処理部３３２で規格化された高輝度表示画素の相対輝度劣化分ΔＬａを低輝度表示画素の相対輝度劣化分ΔＬｂで除算する。この除算比率（除算係数）ΔＬａ／ΔＬｂは、高輝度表示画素の相対輝度劣化分が反映された温度上昇分と低輝度表示画素の相対輝度劣化分が反映された温度上昇分との比であることから、温度差に起因して発生する輝度ムラの程度を表すことになる。
【００９８】
電圧除算結果比較演算部３３４は、画素個々について、電圧除算演算部３３３での除算結果である除算係数ΔＬａ／ΔＬｂを所定の基準値と比較することにより、温度差に起因して発生する輝度ムラの程度を判定する。
【００９９】
電圧除算比率制御部３３５は、電圧除算結果比較演算部３３４による輝度ムラの程度の判定結果を基に、輝度補正を行うための制御値を画素個々について算出する。この制御値は、温度差に起因して発生する輝度ムラが一定に（均一に）なるように、入力デジタル信号の信号レベルを補正する輝度補正値となる。
【０１００】
ここで、電圧除算演算部３３３、電圧除算結果比較演算部３３４および電圧除算比率制御部３３５には、演算される電圧値と輝度との対応関係を示す対応表が組み込まれていることとする。これにより、輝度補正を行う上で、演算される電圧値がどれくらいの輝度値に相当するかを各回路部ごとに照会できるためにスムーズな補正が可能となる。
【０１０１】
演算選択制御部３３６は、電圧除算比率制御部３３５で算出された画素個々の輝度補正値（制御値）を基にして、補正処理の対象画素が高輝度表示画素であるときに、当該高輝度表示画素に対して信号レベル（輝度レベル）の補正を行うか否かの選択制御を行う。そして、演算選択制御部３３６による選択結果を基に、レベル制御部３２１は、高輝度表示画素の信号レベルに対して、電圧除算比率制御部３３５で算出された輝度補正値に応じた補正制御を行う。
【０１０２】
上記構成の本実施形態に係る制御部３０Ｂを備えた有機ＥＬ表示装置１０（１０′）では、その具体的な制御として、高輝度表示画素および低輝度表示画素の各々について相対輝度劣化分を相対輝度劣化化検出部３２８で検出するとともに、電流検出部２０によって検出された発光素子１３個々の電流値から発光素子１３個々の温度上昇分ΔＴを推定し、この推定した温度上昇分ΔＴと入力デジタル信号と受光素子１９の検出信号とを用いて、温度差に起因する輝度ムラが一定になるように発光素子１３の発光輝度を制御する構成を採っている。
【０１０３】
このように、発光素子１３個々の温度情報のみならず、発光素子１３個々の輝度情報をも用いて相対輝度の劣化分を検出し、当該相対輝度の劣化分を加味して発光素子１３個々の発光輝度の制御を行う、具体的には温度差に起因する輝度ムラが一定になるように発光素子１３個々の発光輝度の制御を行うことにより、表示エリア全域において表示温度が異なる箇所でも所定の均一な発光輝度（発光強度）で表示を行うことができるために、滑らかな画像表示を実現できる。
【０１０４】
特に、本実施形態に係る制御部３０Ａを備えた有機ＥＬ表示装置１０（１０′）では、電流検出部２０で検出された発光素子１３個々の電流値から温度推定部３３１によって発光素子１３個々の温度上昇分ΔＴを推定する、より具体的には、消費電力演算部３３１１によってメモリー部３０６の保存データから発光素子１３個々の消費電力Ｐを算出し、この算出した消費電力Ｐから利潤演算温度上昇推定部３３１２によって発光素子１３の温度上昇分ΔＴを画素個々について推定する構成を採っていることにより、第１実施形態の場合と同様に、発光素子１３個々の温度を検出する専用の温度センサをパネルモジュール１０Ａに設けなくて済むために、パネルモジュール１０Ａの構成の簡略化、それに伴う低コスト化を図ることができる。
【０１０５】
なお、上記構成の制御部３０Ｂについては、画素が行列状に配置されてなる表示部やその周辺の駆動回路と共に、パネルモジュール１０Ａ上に搭載する構成を採っても良いし、あるいは、パネルモジュール１０Ａ外に設ける構成を採っても良い。
【０１０６】
ここで、本実施形態に係る制御部３０Ｂの各構成要素、即ちレベル制御部３２１、相対レベル調整部３２２、メモリー部３２３、除算部３２４、Ａ／Ｄ変換部３２５、メモリー部３２６、乗算部３２７、相対輝度劣化検出部３２８、Ａ／Ｄ変換部３２９、メモリー部３３０、温度推定部３３１、データ規格化処理部３３２、電圧差分演算部３３３、電圧差分結果比較演算部３３４、電圧差分比率制御部３３５および演算選択制御部３３６については、パーソナルコンピュータのように、所定プログラムを実行することによって情報記憶処理、信号処理、演算処理等の各機能を実行するコンピュータ機器を利用してソフトウェア構成によって実現することが考えられる。ただし、ソフトウェア構成による実現に限られるものではなく、ハードウェア構成、あるいはハードウェアとソフトウェアの複合構成によって実現することも可能である。
【０１０７】
（制御方法）
次に、上記構成の本実施形態に係る有機ＥＬ表示装置１０（１０′）の制御方法（本発明による表示装置の制御方法）の処理手順について、図１１のフローチャートを用いて具体的に説明する。この制御方法による処理は、図１０の制御部３０Ｂの処理に相当する。なお、この一連の処理は、スキャン周期に同期して画素単位で実行されることとする。
【０１０８】
なお、静止画の場合も動画の場合も制御方法は同じであるために、ここでは、静止画／動画の共通の制御として説明する。
【０１０９】
先ず、画像表示のためのデジタル映像信号を取り込み（ステップＳ３１）、当該映像信号の信号レベルで示される階調値を保存し（ステップＳ３２）、しかる後デジタル映像信号をパネルモジュール１０Ａに対して入力する（ステップＳ３３）。これにより、パネルモジュール１０Ａでは、デジタル入力信号に基づいて画素の表示駆動が行われ、各画素の発光素子１３が発光する。
【０１１０】
発光素子１３が発光することにより、対応関係にある受光素子１９が当該発光素子１３の漏れ光を受光し、その受光量に応じた電気信号、即ち発光輝度に応じた電圧値を出力する。
【０１１１】
このように、パネルモジュール１０Ａが表示駆動状態にあるときに、受光素子１９から出力される発光輝度に応じた電圧値（輝度電圧値）を取り込み（ステップＳ３４）、この輝度電圧値をステップＳ１２で保存した階調値で除算し（ステップＳ３５）、デジタルデータ化した後保存する（ステップＳ３６）。
【０１１２】
次いで、高輝度表示画素および低輝度表示画素の各々について、ステップＳ３２で保存した階調値を基に、所定の駆動期間における発光輝度の劣化分を検出する（ステップＳ３７）。
【０１１３】
なお、ステップＳ３５での除算処理や、ステップＳ３７での輝度劣化分の検出に用いられる階調値は、実際には、受光素子１９が受光する漏れ光の受光量が発光素子１３の発光量の２０％程度であり、受光素子１９からの電圧値に対応させるために、２０％の除算処理が行われたものとなる。
【０１１４】
パネルモジュール１０Ａが表示駆動状態にあるときに、電流検出部２０は、これら発光素子１３に流れる電流値を検出し、その電流値に応じた電圧値として出力する。そこで、電流検出部２０によって検出された発光素子１３個々の電流値に応じた電圧値から消費電力Ｐを求め（ステップＳ３８）、この求めた消費電力Ｐから発光素子１３の温度上昇分ΔＴを画素個々について推定する（ステップＳ３９）。
【０１１５】
なお、高輝度表示画素および低輝度表示画素の各々について輝度変化分を検出するためのステップＳ３４〜Ｓ３７の各処理と、画素個々について温度上昇分ΔＴを推定するためのステップＳ３８，Ｓ３９の各処理については、その処理の順番が逆であっても良く、また双方の処理を並行して行うようにしても良い。
【０１１６】
次に、温度上昇推定値と輝度補正乗算係数との相関データテーブルを基にして、画素個々の温度上昇分ΔＴを、ステップＳ１７で検出した高輝度表示画素および低輝度表示画素の各々についての輝度劣化分に対応した電圧値（高輝度表示画素の相対輝度劣化分）ΔＬａと、低輝度表示画素の温度変化分に応じた電圧値（低輝度表示画素の相対輝度劣化分）ΔＬｂとに規格化（換算）する（ステップＳ４０）。
【０１１７】
次に、高輝度表示画素の相対輝度劣化分ΔＬａを低輝度表示画素の相対輝度劣化分ΔＬａで除算し（ステップＳ４１）、次いで、高輝度表示画素と低輝度表示画素との間に所定の温度差があるときの除算結果ΔＬａ／ΔＬｂを基に、除算係数ΔＬａ／ΔＬｂと輝度ムラの発生程度との対応関係から、温度差に起因する輝度ムラの発生程度を判定する（ステップＳ４２）。
【０１１８】
次に、温度差に起因する輝度ムラの発生程度から、当該輝度ムラを一定にするための輝度補正値（制御値）を画素個々について算出し（ステップＳ４３）、次いで、この輝度補正値を基に、補正処理の対象画素が高輝度表示画素であるときに、当該高輝度表示画素に対して信号レベル（輝度レベル）の補正を行うか否かを選択し（ステップＳ４４）、次いで、この選択結果に基づいてデジタル映像信号の画素単位の信号レベル（輝度レベル）を制御することによって輝度補正を行う（ステップＳ４５）。
【０１１９】
上述した一連の処理により、高輝度表示画素および低輝度表示画素の各々について相対輝度の劣化分を検出し、画素個々の温度上昇分ΔＴを高輝度表示画素および低輝度表示画素の各々についての相対輝度の劣化分に対応した高輝度表示画素の相対輝度劣化分ΔＬａと低輝度表示画素の相対輝度劣化分ΔＬｂとに換算することによって温度補正を行い、この温度補正によって得られた相対輝度劣化分ΔＬａ，ΔＬｂの除算結果ΔＬａ／ΔＬｂを基に、温度差に起因して発生する輝度ムラが一定になるように輝度補正が行われる。これにより、表示エリア全域において表示温度が異なる箇所でも所定の均一な発光輝度（発光強度）で表示を行うことができるために、滑らかな画像表示を実現できる。
【０１２０】
なお、上記各実施形態では、温度補正によって得られた相対輝度劣化分ΔＬａ，ΔＬｂの除算結果ΔＬａ／ΔＬｂを基に温度差に起因して発生する輝度ムラが一定になるように輝度補正を行うとしたが、相対輝度劣化分ΔＬａと相対輝度劣化分ΔＬｂとの差分ΔＬａ−ΔＬｂも、高輝度表示画素の相対輝度劣化分が反映された温度上昇分と低輝度表示画素の相対輝度劣化分が反映された温度上昇分との差であることから、温度差に起因して発生する輝度ムラの程度を表すことになるために、相対輝度劣化分ΔＬａ，ΔＬｂの差分結果ΔＬａ−ΔＬｂを基に、温度差に起因して発生する輝度ムラが一定になるように輝度補正を行う構成を採ることも可能である。かかる構成を採った場合にも、上記各実施形態の場合と同様の作用効果を得ることができる。
【０１２１】
また、上記各実施形態では、ＲＧＢ各色を発光する発光素子１３を備えた有機ＥＬ表示装置１０，１０′を例に挙げて説明したが、本発明はこれに限定されるものではなく、白色光を発光する発光素子を備えた有機ＥＬ表示装置にも適用可能である。
【０１２２】
また、上記各実施形態では、発光素子１３の各々の光漏れ量を、それぞれ対応する受光素子１９によって一様にモニタリングすることを前提として説明を行ったが、赤色光、緑色光、青色光あるいは白色光を発光する発光素子ごとに発光強度（発光輝度）が異なることから、各発光色ごとにレベル制御を行って相対的なレベルを揃えるようにしたり、あるいは、光漏れ量をモニタリングする対象となる発光色の種類を初期設定で限定したりすることも可能である。
【０１２３】
また、上記各実施形態では、有機ＥＬ表示装置に適用した場合を例に挙げて説明したが、本発明は有機ＥＬ表示装置への適用に限られるものではなく、有機ＥＬ素子と同様に、デバイスの温度変化に応じて発光輝度が変化する特性を持つＰＤＰ(Plasma Display Panel)等の自発光素子を備えた表示装置全般に適用可能である。
【図面の簡単な説明】
【０１２４】
【図１】本発明に係る上面発光型有機ＥＬ表示装置のパネルモジュールの構成の概略を示す要部断面図である。
【図２】上面発光型有機ＥＬ表示装置のパネルモジュールの構成の概略を示す平面図である。
【図３】本発明に係る下面発光型有機ＥＬ表示装置のパネルモジュールの構成の概略を示す要部断面図である。
【図４】本発明の第１実施形態に係る制御部の構成の一例を示すブロック図である。
【図５】消費電力Ｐと温度上昇分ΔＴとの対応関係を示す図である。
【図６】温度上昇推定値と輝度補正乗算係数Ｋとの対応関係を示す図である。
【図７】静止画判定部の構成の一例を示すブロック図である。
【図８】有機ＥＬ素子の発光輝度−印加電圧特性の温度依存性の一例を示す特性図である。
【図９】第１実施形態に係る制御方法の処理手順を示すフローチャートである。
【図１０】本発明の第２実施形態に係る制御部の構成の一例を示すブロック図である。
【図１１】第２実施形態に係る制御方法の処理手順を示すフローチャートである。
【符号の説明】
【０１２５】
１０，１０′…有機ＥＬ表示装置、１０Ａ…パネルモジュール、１１…支持基板、１２…対向基板、１３…発光素子（有機ＥＬ素子）、１４…素子分離絶縁層、１５…下部電極、１６…有機層、１７…上部電極、１８…透明材料膜、１９…受光素子、３０Ａ，３０Ｂ…制御部、３０１，３２１…レベル制御部、３０２，３２２…相対レベル調整部、３０３，３０６，３２３，３２６，３３０…メモリー部、３０４，３２４…除算部、３０５，３２５，３２９…Ａ／Ｄ変換部、３０７，３２７…乗算部、３０８，３２８…相対輝度劣化検出部、３０９，３３１…温度推定部、３１０，３３２…データ規格化処理部、３１１，３３３…電圧除算演算部、３１２，３３４…電圧除算結果比較演算部、３１３，３３５…電圧除算比率制御部、３１４，３３６…演算選択制御部
【図１】
2007286457.tif 000003
【図２】
2007286457.tif 000004
【図３】
2007286457.tif 000005
【図４】
2007286457.tif 000006
【図５】
2007286457.tif 000007
【図６】
2007286457.tif 000008
【図７】
2007286457.tif 000009
【図８】
2007286457.tif 000010
【図９】
2007286457.tif 000011
【図１０】
2007286457.tif 000012
【図１１】
2007286457.tif 000013